(57)【要約】      （修正有）【課題】簡易な方法かつ低コストで、設置面積を増加させずに雨水貯留タンク及び雨水貯留タンク連結体の貯留容量を増加させる。【解決手段】上方に開口するタンク本体２と、タンク本体の上部に脱着可能な筒状の嵩上げ部材３とを備える雨水貯留タンク１。嵩上げ部材は、嵩上げ部材の上方に同一形状の嵩上げ部材を脱着可能とする取付部（円周溝）を有する。嵩上げ部材の側部に、雨水導入管又は雨水排出管を接続するための開口と、タンク本体の側部に、連通管を接続するための開口とを備える。雨水貯留タンクを、連通管を介して複数一次元的又は二次元的に連結し、複数の雨水貯留タンクの一端に位置する雨水貯留タンクの嵩上げ部材の側部に雨水導入管を接続し、複数の雨水貯留タンクの他端に位置する雨水貯留タンクの嵩上げ部材の側部に雨水排出管を接続して雨水貯留タンク連結体を構成する。【選択図】図１
0003196951.tif 000002
【実用新案登録請求の範囲】
【請求項１】
上方に開口するタンク本体と、
該タンク本体の上部に脱着可能な筒状の嵩上げ部材とを備えることを特徴とする雨水貯留タンク。
【請求項２】
前記嵩上げ部材は、該嵩上げ部材の上方に該嵩上げ部材と同一形状の嵩上げ部材を脱着可能とする取付部を有することを特徴とする請求項１に記載の雨水貯留タンク。
【請求項３】
前記嵩上げ部材の側部に、雨水導入管又は雨水排出管を接続するための開口と、
前記タンク本体の側部に、連通管を接続するための開口とを備えることを特徴とする請求項１又は２に記載の雨水貯留タンク。
【請求項４】
前記嵩上げ部材の側部に、連通管を接続するための複数の開口を備えることを特徴とする請求項１、２又は３に記載の雨水貯留タンク。
【請求項５】
前記タンク本体の下部に該タンク本体内の雨水を排出するためのコックと、
該タンク本体の下方に該タンク本体を載置する載置台とを備えることを特徴とする請求項１乃至４のいずれかに記載の雨水貯留タンク。
【請求項６】
請求項１乃至５のいずれかに記載の雨水貯留タンクを、連通管を介して複数一次元的又は二次元的に連結し、
該複数の雨水貯留タンクの一端に位置する雨水貯留タンクの前記嵩上げ部材の側部に雨水導入管を接続し、
該複数の雨水貯留タンクの他端に位置する雨水貯留タンクの前記嵩上げ部材の側部に雨水排出管を接続することを特徴とする雨水貯留タンク連結体。
【請求項７】
前記雨水導入管が接続された雨水貯留タンクの連通管にフィルタを備えることを特徴とする請求項６に記載の雨水貯留タンク連結体。
【考案の詳細な説明】
【技術分野】
【０００１】
本考案は、雨水を貯留する雨水貯留タンク及びこれらを連結した雨水貯留タンク連結体に関する。
【背景技術】
【０００２】
集中豪雨の際における道路冠水や浸水被害を防ぐため、雨樋が備えられている建築物に雨水貯留タンクが設けられ、雨樋から流入した雨水を雨水貯留タンクに貯留すると共に、雨水貯留タンク内の雨水を地下に備えられる雨水貯留構造体や雨水浸透構造体に供給し、雨水の貯留や浸透を行っている。また、雨水貯留タンクで貯留した雨水は、雨水貯留タンクに設けられたコックから排出して非常時等への備えや植物の生育に利用されている。
【０００３】
しかし、雨水貯留タンクを単独で用いるのみでは貯留量が限られ、集中豪雨等に対処することができない虞があると共に、節水の観点からも改善の余地があった。
【０００４】
そこで、特許文献１及び２等には、図１３に示すように、複数の雨水貯留タンク７２（７２Ａ〜７２Ｃ）を連通管１４、１５によって連結し、雨樋からの雨水を導入する雨水導入管１２を雨水貯留タンク７２Ａに連結すると共に、雨水を地下の設備に排出する雨水排出管１３を雨水貯留タンク７２Ｃに連結する雨水貯留タンク連結体７１が記載されている。
【０００５】
これにより、雨水貯留タンク同士を連結するだけの簡易な方法かつ低コストで、雨水貯留タンク連結体の貯留容量を増加させることができる。
【先行技術文献】
【特許文献】
【０００６】
【特許文献１】実用新案登録第３０１８８３６号公報
【特許文献２】実用新案登録第３０７００９９号公報
【考案の概要】
【考案が解決しようとする課題】
【０００７】
しかし、上記特許文献１及び２に記載の雨水貯留タンク連結体は、貯留容量が増加するに伴い設置面積も増加し、設置スペースの確保に苦慮するという問題があった。
【０００８】
そこで、本考案は上記従来技術における問題点に鑑みてなされたものであって、簡易な方法かつ低コストで、設置面積を増加させずに雨水貯留タンク及び雨水貯留タンク連結体の貯留容量を増加させることを目的とする。
【課題を解決するための手段】
【０００９】
上記目的を達成するため、本考案は、雨水貯留タンクであって、上方に開口するタンク本体と、該タンク本体の上部に脱着可能な筒状の嵩上げ部材とを備えることを特徴とする。
【００１０】
本考案によれば、嵩上げ部材をタンク本体の上部に固定するだけで雨水貯留タンクの貯留容量を増加させることができるため、簡易な方法かつ低コストで、設置面積を増加させずに雨水貯留タンクの貯留容量を増加させることができる。
【００１１】
上記雨水貯留タンクにおいて、前記嵩上げ部材は、該嵩上げ部材の上方に該嵩上げ部材と同一形状の嵩上げ部材を脱着可能とする取付部を有し、１種類の嵩上げ部材のみを用いて雨水貯留タンクの貯留容量を増加させることができる。これにより、増加させたい貯留容量に合わせて様々な大きさの嵩上げ部材を製造したり、雨水貯留タンクの貯留容量を増加させるために既に固定されている嵩上げ部材を取り外す手間を省くことができる。また、雨水貯留タンクの貯留容量を大幅に増加させる場合であっても、嵩上げ部材を複数積み重ねればよく、嵩上げ部材自体を大きくする必要はないため、嵩上げ部材の保管や運搬コストを抑えることができる。
【００１２】
また、上記雨水貯留タンクにおいて、前記嵩上げ部材の側部に、雨水導入管又は雨水排出管を接続するための開口と、前記タンク本体の側部に、連通管を接続するための開口とを備えることができる。連通管を接続するための開口を雨水貯留タンクにおける下部に設けることで、雨水の貯留容量が少ない状態であっても複数の雨水貯留タンクにおける水位を等しくすることができる。また、複数の雨水貯留タンク間における上記２つの開口を高さ方向において異なる位置に設け、開口に連通管等を接続して連結体とした際に、連結体を安定化させることができ、強風や地震の際の備えにもなる。
【００１３】
さらに、上記雨水貯留タンクにおいて、前記嵩上げ部材の側部に、連通管を接続するための複数の開口を備えることができる。これによって、先に雨水が流入する雨水貯留タンクに充分に雨水を貯留した後に、後段に設けられる雨水貯留タンクに雨水が流入するため、全ての雨水貯留タンクに少量ずつ雨水が貯まって雨水を利用し難くなるのを防止することができる。また、開口に連通管を接続して連結体とした際に、連結体を安定化させることもできる。
【００１４】
また、前記タンク本体の下部に該タンク本体内の雨水を排出するためのコックと、該タンク本体の下方に該タンク本体を載置する載置台とを備えることができる。このコックで雨水貯留タンク内の雨水を外部に放出することができるが、コックの位置が地面に近いとコックから放出される雨水を利用し難く、コックの位置が地面から遠いと、雨水貯留タンク内においてコックより高い位置に存在する雨水の量が少なくなり、利用できる雨水の量が少なくなる。そこで、載置台を設けてコックを地面から遠い位置とすると共に、雨水貯留タンク内においてコックよりも高い部分の容積を大きく維持し、雨水貯留タンク内の雨水を効率的に利用することができる。
【００１５】
さらに、本考案は、雨水貯留タンク連結体であって、前記雨水貯留タンクを、連通管を介して複数一次元的又は二次元的に連結し、該複数の雨水貯留タンクの一端に位置する雨水貯留タンクの前記嵩上げ部材の側部に雨水導入管を接続し、該複数の雨水貯留タンクの他端に位置する雨水貯留タンクの前記嵩上げ部材の側部に雨水排出管を接続することを特徴とする。
【００１６】
本考案によれば、上記の雨水貯留タンクの利点を享受しながら、雨水貯留タンク連結体を構成する全ての雨水貯留タンクで雨水を貯留することができる。
【００１７】
さらに、前記雨水導入管が連結された雨水貯留タンクの連通管にフィルタを備えることができ、雨水導入管が連結された雨水貯留タンク以外の雨水貯留タンク内への異物の侵入を防止することができる。
【考案の効果】
【００１８】
以上のように、本考案によれば、簡易な方法かつ低コストで、設置面積を増加させずに雨水貯留タンク及び雨水貯留タンク連結体の貯留容量を増加させることができる。
【図面の簡単な説明】
【００１９】
【図１】本考案に係る雨水貯留タンクを示す図であって、（ａ）は上面図、（ｂ）は（ａ）のＡ−Ａ線断面図である。
【図２】図１に示す雨水貯留タンクの各構成要素を示す図であって、（ａ）はタンクの上面図、（ｂ）は（ａ）のＢ−Ｂ線断面図、（ｃ）は嵩上げ部材の上面図、（ｄ）は（ｃ）のＣ−Ｃ線断面図、（ｅ）は蓋体の上面図、（ｆ）は（ｅ）のＤ−Ｄ線断面図である。
【図３】本考案に係る雨水貯留タンク連結体の第１の実施形態を示す図であって、（ａ）は上面図、（ｂ）は（ａ）のＥ−Ｅ線断面図である。
【図４】図３に示す雨水貯留タンク連結体の構成要素であるゴムリングを示す図であって、（ａ）は正面図、（ｂ）は（ａ）のＦ−Ｆ線断面図、（ｃ）は（ａ）のＧ−Ｇ線断面図である。
【図５】図３のＰ部拡大図である。
【図６】図３に示す雨水貯留タンク連結体の第１の設置例を示す図であって、（ａ）は上面図、（ｂ）は（ａ）のＨ−Ｈ線断面及び雨水貯留設備を示す図である。
【図７】図３に示す雨水貯留タンク連結体の第２の設置例を示す図であって、（ａ）は上面図、（ｂ）は（ａ）のＩ−Ｉ線断面及び雨水浸透設備を示す図である。
【図８】本考案に係る雨水貯留タンク連結体の第２の実施形態を示す図であって、（ａ）は正面図、（ｂ）は上面図である。
【図９】本考案に係る雨水貯留タンク連結体の第３の実施形態を示す図であって、（ａ）は上面図、（ｂ）は（ａ）のＪ−Ｊ線断面図である。
【図１０】本考案に係る雨水貯留タンク連結体の第４の実施形態を示す図であって、（ａ）は上面図、（ｂ）は（ａ）のＫ−Ｋ線断面図である。
【図１１】本考案に係る雨水貯留タンク連結体の第５の実施形態を示す図であって、（ａ）は上面図、（ｂ）は（ａ）のＬ−Ｌ線断面図である。
【図１２】図１に示す雨水貯留タンクの保管例を示す概略図であって、（ａ）は第１の保管例を、（ｂ）は第２の保管例を示す。
【図１３】従来の雨水貯留タンク連結体を示す図であって、（ａ）は上面図、（ｂ）は（ａ）のＭ−Ｍ線断面図である。
【考案を実施するための形態】
【００２０】
次に、本考案を実施するための形態について、図面を参照しながら詳細に説明する。
【００２１】
図１は、本考案に係る雨水貯留タンク１の一実施の形態を示し、この雨水貯留タンク１は、タンク本体２と、タンク本体２の上部に着脱可能な嵩上げ部材３と、嵩上げ部材３の上部開口を塞ぐ蓋体４とで構成される。
【００２２】
タンク本体２は、雨水を貯留するために備えられ、図２（ａ）、（ｂ）に示すように、底面が開口部よりも小径の有底円筒状に形成された円筒部２ａと、上部に嵩上げ部材３を固定するために形成された円周溝２ｂと、タンク本体２の保管時にタンク本体２に積み重ねられる別のタンク本体２を支持する突出部２ｃとを備える。
【００２３】
嵩上げ部材３は、雨水貯留タンク１の雨水貯留容量を増加させるために備えられ、図２（ｃ）、（ｄ）に示すように、一定の横断面を有する円筒部３ａと、蓋体４を固定するために形成された円周溝（取付部）３ｂとで構成され、円筒部３ａの下端部３ｃがタンク本体２の円周溝２ｂに係合する。
【００２４】
蓋体４は雨水貯留タンク１内への異物の侵入を防止するために備えられ、図２（ｅ）、（ｆ）に示すように、円盤状に形成された円盤部４ａと、嵩上げ部材３の円周溝３ｂに係合する円周突条４ｂとを備える。タンク本体２、嵩上げ部材３及び蓋体４の材質は、プラスチックが好ましいが、金属等の他の材質とすることもできる。
【００２５】
次に、本考案に係る雨水貯留タンク連結体の第１の実施形態について、図面を参照しながら詳細に説明する。
【００２６】
図３は、上記構成を有する雨水貯留タンク１を３つ備えた雨水貯留タンク連結体１１を示し、この雨水貯留タンク連結体１１は、一次元的（直線状）に連結される３つの雨水貯留タンク１（１Ａ〜１Ｃ）と、雨樋（不図示）から雨水を導入する雨水導入管１２と、雨水を地下の設備に排出する雨水排出管１３と、雨水貯留タンク１Ａと雨水貯留タンク１Ｂ及び雨水貯留タンク１Ｂと雨水貯留タンク１Ｃとを各々連結する連通管１４、１５と、雨水貯留タンク１Ａに流入した泥や枯れ葉等の異物が雨水貯留タンク１Ｂへ侵入するのを防止するフィルタ１６とを備える。
【００２７】
雨水導入管１２は、一端が雨樋（不図示）に接続され、他端が雨水貯留タンク１Ａの嵩上げ部材３Ａに接続される。また、雨水排出管１３は、一端が雨水貯留タンク１Ｃの嵩上げ部材３Ｃに接続され、他端が地下の設備に接続される。
【００２８】
フィルタ１６には、例えば、特開２０１４−１５６７２０号公報に記載されたフィルタを用いることができ、このフィルタによれば、フィルタ部が容易に閉塞せず、流量を確保しながら異物を除去することができて好ましいが、その他のフィルタを用いてもよい。
【００２９】
図４及び図５は、雨水導入管１２と雨水貯留タンク１Ａとの接続部に設けられたゴムリング１７（ゴムパッキン）を示し、このゴムリング１７は、内周部１７ａが雨水導入管１２と当接し、外側部１７ｂが嵩上げ部材３Ａと当接する。雨水排出管１３、連通管１４、１５と、雨水貯留タンク１（１Ａ〜１Ｃ）との接続部においても同様にゴムリング１７が設けられる。
【００３０】
雨水貯留タンク連結体１１は、図６に示すように、地下に埋設される雨水貯留設備２１の上流側に設置し、雨水排出管１３を雨水貯留設備２１に接続することができる。
【００３１】
雨水貯留設備２１は、雨水排出管１３から排出された雨水を貯留するために備えられ、雨水を貯留する複数の構造体２１ａと、構造体２１ａ同士や構造体２１ａと外部とを仕切る枠体２１ｂと、単一の粒度の砕石で構成された砕石層２１ｃとを備える。雨水排出管１３は構造体２１ａのうちの１つに接続される。
【００３２】
上記構成により、雨樋から雨水導入管１２を経て雨水貯留タンク１Ａに雨水が流入すると、雨水貯留タンク１Ａに雨水が溜まる。雨水貯留タンク１Ａ内の雨水の水面が徐々に高まり、フィルタ１６に達すると、連通管１４を経て雨水貯留タンク１Ｂに雨水が移動する。この際、雨水貯留タンク１Ａに流入した泥や枯れ葉等の異物は、フィルタ１６によってせき止められ、雨水貯留タンク１Ｂに流入することはない。すなわち、雨水貯留タンク１Ａは泥だめとして機能する。次に、雨水は、雨水貯留タンク１Ｂから連通管１５を介して雨水貯留タンク１Ｃに流入し、雨水排出管１３を経て雨水貯留設備２１に貯留される。
【００３３】
また、図７に示すように、雨水貯留タンク連結体１１を地下に埋設される雨水浸透設備２２の上流に設置し、雨水排出管１３を雨水浸透設備２２に接続することもできる。
【００３４】
雨水浸透設備２２は、雨水排出管１３から排出された雨水を浸透させるために備えられ、雨水を開口部から浸透させる雨水浸透桝２２ａと、単一の粒度の砕石で構成された砕石層２２ｂと、砂で構成された敷砂２２ｃとを備え、雨水排出管１３が雨水浸透桝２２ａに接続される。
【００３５】
この構成により、上記と同様に、雨樋から雨水導入管１２、雨水貯留タンク１Ａ、フィルタ１６、連通管１４、雨水貯留タンク１Ｂ及び連通管１５を経て雨水貯留タンク１Ｃから排出された雨水は、雨水浸透設備２２の雨水浸透桝２２ａに一旦貯留された後、徐々に雨水浸透桝２２ａから外部に排出される。
【００３６】
以上のように、上記実施の形態によれば、嵩上げ部材３（３Ａ〜３Ｃ）をタンク本体２（２Ａ〜２Ｃ）の上部に固定するだけで雨水貯留タンク１（１Ａ〜１Ｃ）の貯留容量を増加させることができるため、簡易な方法かつ低コストで、設置面積を増加させずに雨水貯留タンク１（１Ａ〜１Ｃ）の貯留容量を増加させることができる。
【００３７】
また、連通管１４、１５を雨水貯留タンク１（１Ａ〜１Ｃ）の下部に接続することで、雨水の貯留容量が少ない状態であっても、雨水貯留タンク１（１Ａ〜１Ｃ）における水位を略々等しくすることができる。また、連通管１４、１５並びに雨水導入管１２及び雨水排出管１３を高さ方向において異なる位置に設けることで、雨水貯留タンク連結体１１を安定化させることができ、強風や地震等の際の転倒等を防止することもできる。
【００３８】
さらに、３つの雨水貯留タンク１（１Ａ〜１Ｃ）の一端に位置する雨水貯留タンク１Ａの嵩上げ部材３Ａの側部に雨水導入管１２を接続し、他端に位置する雨水貯留タンク１Ｃの嵩上げ部材３Ｃの側部に雨水排出管１３を接続することで、雨水貯留タンク連結体１１を構成する全ての雨水貯留タンク１（１Ａ〜１Ｃ）で雨水を貯留することができる。
【００３９】
次に、本考案に係る雨水貯留タンク連結体の第２の実施形態について図面を参照しながら詳細に説明する。
【００４０】
図８に示す雨水貯留タンク連結体３１は、上記雨水貯留タンク１（１Ａ〜１Ｃ）に代えて、雨水貯留タンク３２（３２Ａ、３２Ｂ）と雨水貯留タンク３３とを備える点で雨水貯留タンク連結体１１と異なり、その他の構成要素は同じである。
【００４１】
雨水貯留タンク３２（３２Ａ、３２Ｂ）は、タンク本体２（２Ａ、２Ｂ）の下方に載置台３４（３４Ａ、３４Ｂ）が設けられ、タンク本体２（２Ａ、２Ｂ）が載置台３４（３４Ａ、３４Ｂ）に載置されている点で雨水貯留タンク１（１Ａ、１Ｂ）と異なる。また、雨水貯留タンク３３は、コック３５ａが設けられたコック付タンク３５を備える点で雨水貯留タンク３２と異なる。
【００４２】
上記構成によれば、載置台３４（３４Ａ〜３４Ｃ）を設けてコック３５ａを地面から遠い位置とすると共に、雨水貯留タンク３３内においてコック３５ａよりも高い部分の容積を一定に保ち、雨水貯留タンク３３内の雨水を効率的に利用することができる。
【００４３】
図９は、本考案に係る雨水貯留タンク連結体の第３の実施形態を示し、この雨水貯留タンク連結体４１は、上記フィルタ１６を設けずに、雨水導入管１２と雨水貯留タンク１Ａとの間に分水器４２を設けた点で上記雨水貯留タンク連結体１１と異なる。
【００４４】
分水器４２は、雨水導入管１２から導入された雨水に含まれる泥等の異物を雨水貯留タンク１Ａに侵入するのを防ぐために備えられ、分離部４２ａにおいて、例えば、上下方向に揺動可能な片持ち状の分離板を用い、雨水よりも重い泥等の異物のみを落下させて異物排出部４２ｃから外部に排出し、雨水排出部４２ｂへの異物の侵入を防止する。
【００４５】
図１０は、本考案に係る雨水貯留タンク連結体の第４の実施形態を示し、この雨水貯留タンク連結体５１は、上記雨水貯留タンク１（１Ａ〜１Ｃ）に、雨水貯留タンク１Ｄを増設したものであり、連通管５２や雨水排出管１３を付け替えることで、容易に雨水貯留タンク１Ｄを増設することができ、雨水貯留タンク連結体５１の貯留容量を増加させることができる。
【００４６】
図１１は、本考案に係る雨水貯留タンク連結体の第５の実施形態を示し、この雨水貯留タンク連結体６１は、４つの雨水貯留タンク１（１Ｅ〜１Ｈ）を二次元的（平面状）に配置し、矩形状の設置スペースに合わせて雨水貯留タンク連結体を設置すると共に、図１０に示した直線状に雨水貯留タンク１（１Ａ〜１Ｄ）を設置した雨水貯留タンク連結体５１に比較して、雨水貯留タンク連結体６１の設置安定性を向上させることができる。このよう連通管を付け替えるだけで、雨水貯留タンク連結体における雨水貯留タンクの連結の自由度を高めることができる。
【００４７】
尚、上記第１乃至第５の実施形態においては、連通管１４等で２つのタンク本体２等を連結しているが、２つの嵩上げ部材３を連結することもできる。これによって、先に雨水が流入する雨水貯留タンク１等において充分に雨水を貯留した後に、後段に設けられる雨水貯留タンク１等に雨水が流入するため、全ての雨水貯留タンク１等に少量ずつ雨水が貯まって雨水を利用し難くなるのを防止することができる。
【００４８】
また、上記第１乃至第５の実施形態においては、嵩上げ部材３の円周溝３ｂに蓋体４の円周突条４ｂを係合させているが、嵩上げ部材３の円筒部３ａの下端部を係合させ、１つの雨水貯留タンク１等において複数の嵩上げ部材３を積層して用いることができ、１種類の嵩上げ部材３のみを用いて雨水貯留タンク１等の貯留容量を増加させることができる。
【００４９】
これにより、増加させたい貯留容量に合わせて様々な大きさの嵩上げ部材を製造したり、雨水貯留タンク１の貯留容量を増加させるために既に連結されている嵩上げ部材３を取り外す手間を省くことができる。また、雨水貯留タンク１の貯留容量を大幅に増加させる場合であっても、嵩上げ部材３を大きくする必要はないため、嵩上げ部材３の保管や運搬に要する手間やコストを抑えることができる。
【００５０】
さらに、上記実施形態においては、タンク本体２等や嵩上げ部材３を円筒状に形成したが、角柱状に形成することもできる。また、蓋体４は必ずしも設ける必要はなく、蓋体４を設けずに雨水貯留タンク１等を使用することもできる。
【００５１】
次に、雨水貯留タンク１の保管方法について図１２を参照しながら説明する。
【００５２】
図１２（ａ）に示すように、タンク本体２Ａを地面に置き、タンク本体２Ａの突出部２ｂにタンク本体２Ｂの底面を載置するように、タンク本体２Ｂをタンク本体２Ａに積み重ねる。同様にタンク本体２Ｃをタンク本体２Ｂに積み重ねる。
【００５３】
次に、嵩上げ部材３Ａを地面に置き、嵩上げ部材３Ａの円周溝３ｂ（図２参照）に嵩上げ部材３Ｂの円筒部３ａの下端部３ｃ(図２参照)が係合するように、嵩上げ部材３Ｂを積み重ねる。また、同様に嵩上げ部材３Ｃを嵩上げ部材３Ｂに積み重ねる。これによって、狭い保管スペースに、雨水貯留タンク１の多くの構成要素を保管することができる。
【００５４】
さらに、蓋体４Ａを嵩上げ部材３Ｃの上に置いて蓋体４Ａに蓋体４Ｂを積み重ねると共に、蓋体４Ｂに蓋体４Ｃを積み重ねる。尚、蓋体４Ａを地面に置き、その上に蓋体４Ｂ、４ＣＡ載置してもよい。
【００５５】
また、図１２（ｂ）に示すように、嵩上げ部材３（３Ａ〜３Ｃ）を持ち上げ、蓋体３Ａの円筒部３ａの下端部３ｃ（図２参照）をタンク本体２Ｃの円周溝２ｂ（図２参照）に係合させて嵩上げ部材３Ａをタンク本体２Ｃに積み重ね、嵩上げ部材３Ｃの上に蓋体４（４Ａ〜４Ｃ）を積み重ねてもよい。
【符号の説明】
【００５６】
１（１Ａ〜１Ｈ）  雨水貯留タンク
２（２Ａ〜２Ｃ）  タンク
２ａ  円筒部
２ｂ  円周溝
２ｃ  突出部
３（３Ａ〜３Ｃ）  嵩上げ部材
３ａ  円筒部
３ｂ  円周溝
３ｃ  下端部
４（４Ａ〜４Ｃ）  蓋体
４ａ  円盤部
４ｂ  円周突条
１１  雨水貯留タンク連結体
１２  雨水導入管
１３  雨水排出管
１４、１５  連通管
１６  フィルタ
１７  ゴムリング
１７ａ  内周部
１７ｂ  外周部
２１  雨水貯留設備
２１ａ  構造体
２１ｂ  枠体
２１ｃ  砕石層
２２  雨水浸透設備
２２ａ  雨水浸透桝
２２ｂ  砕石層
２２ｃ  敷砂
３１  雨水貯留タンク連結体
３２（３２Ａ、３２Ｂ）  雨水貯留タンク
３３  雨水貯留タンク
３４（３４Ａ〜３４Ｃ）  載置台
３５  コック付タンク
３５ａ  コック
４１  雨水貯留タンク連結体
４２  分水器
４２ａ  分離部
４２ｂ  雨水排出部
４２ｃ  異物排出部
５１  雨水貯留タンク連結体
５２  連通管
６１  雨水貯留タンク連結体
６２〜６５  連通管
【図１】
0003196951.tif 000003
【図２】
0003196951.tif 000004
【図３】
0003196951.tif 000005
【図４】
0003196951.tif 000006
【図５】
0003196951.tif 000007
【図６】
0003196951.tif 000008
【図７】
0003196951.tif 000009
【図８】
0003196951.tif 000010
【図９】
0003196951.tif 000011
【図１０】
0003196951.tif 000012
【図１１】
0003196951.tif 000013
【図１２】
0003196951.tif 000014
【図１３】
0003196951.tif 000015